(57)【特許請求の範囲】
【請求項１】
画像デ−タに基づいて重ね合わされたシートの一辺に切り欠き部が形成されているクリアホルダーに画像を形成する画像形成手段と、
前記切り欠き部周辺の画像を調整する調整手段と、を備えた、
ことを特徴とする画像形成装置。
【請求項２】
前記調整手段は、前記画像の前記切り欠き部に係る領域を削除して前記クリアホルダーに前記画像を形成するように調整する、
ことを特徴とする請求項１に記載の画像形成装置。
【請求項３】
印刷する前に前記クリアホルダーを読み取り走査することによって前記切り欠き部の位置とサイズを検知する検知手段を有する、
ことを特徴とする請求項１に記載の画像形成装置。
【請求項４】
前記調整手段は、前記切り欠き部周辺における画像を縮小させる、
ことを特徴とする。
ことを特徴とする請求項１又は２に記載の画像形成装置。
【請求項５】
前記調整手段は、前記切り欠き部周辺に余白を形成するように画像を縮小させる、
ことを特徴とする請求項１又は２に記載の画像形成装置。
【請求項６】
前記クリアホルダーは、前記重ね合わされたシート間に前記きり欠きが形成された領域を覆う合紙が挿入されている、
ことを特徴とする請求項１ないし５のいずれか１項に記載の画像形成装置。
【請求項７】
前記画像形成手段は、前記クリアホルダーの端部に対して余白なしで画像を形成することができる、
ことを特徴とする請求項１ないし６のいずれか１項に記載の画像形成装置。
【発明の詳細な説明】
【技術分野】
【０００１】
本発明は、画像形成装置に関する。
【背景技術】
【０００２】
媒体を載置可能に構成された媒体載置台と、媒体に光を照射可能に構成された光源と、媒体からの反射光を検出可能に構成された光センサと、光源及び光センサを所定の方向に移動可能に構成された駆動部と、光源からの光を透過可能な矩形状の孔部が形成されたシート部材と、を備え、光センサは、光源から照射された光によって投影された該孔部の端部の影を検出可能である画像読み取り装置が知られている（特許文献１）。
【０００３】
記録ヘッドよりも上流に配置され、記録媒体の形状、姿勢及び位置を含む記録媒体情報を取得する記録媒体検出手段と、記録媒体領域よりも大きい画像を入力画像データから生成するための倍率を当該記録媒体情報に応じて設定する倍率設定手段と、設定された倍率に従って第１の画像処理手段により生成された画像データから記録媒体領域の内側の画像範囲を切り出す編集処理を行う第２の画像処理手段と、を備え、第２の画像処理手段で得た画像データに基づき記録ヘッドを制御しつつ、記録媒体の縁から６０μｍ以内のｎ（ｎは自然数）ドット分の内側の範囲について画像を記録しない領域を形成する画像記録装置も知られている（特許文献２）。
【先行技術文献】
【特許文献】
【０００４】
【特許文献１】特開２０１５−１５４４３９号公報
【特許文献２】特開２００６−２３１９２９号公報
【発明の概要】
【発明が解決しようとする課題】
【０００５】
本発明は、切り欠き部を有する記録媒体に画像を形成することができる画像形成装置を提供する。
【課題を解決するための手段】
【０００６】
前記課題を解決するために、請求項１に記載の画像形成装置は、
画像デ−タに基づいて重ね合わされたシートの一辺に切り欠き部が形成されているクリアホルダーに画像を形成する画像形成手段と、
前記切り欠き部周辺の画像を調整する調整手段と、を備えた、
ことを特徴とする。
【０００７】
請求項２記載の発明は、請求項１に記載の画像形成装置において、
前記調整手段は、前記画像の前記切り欠き部に係る領域を削除して前記クリアホルダーに前記画像を形成するように調整する、
ことを特徴とする。
【０００８】
請求項３記載の発明は、請求項１に記載の画像形成装置において、
印刷する前に前記クリアホルダーを読み取り走査することによって前記切り欠き部の位置とサイズを検知する検知手段を有する、
ことを特徴とする。
【０００９】
請求項４記載の発明は、請求項１又は２に記載の画像形成装置において、
前記調整手段は、前記切り欠き部周辺における画像を縮小させる、
ことを特徴とする。
【００１０】
請求項５記載の発明は、請求項１又は２に記載の画像形成装置において、
前記調整手段は、前記切り欠き部周辺に余白を形成するように画像を縮小させる、
ことを特徴とする。
【００１２】
請求項６記載の発明は、請求項１ないし５のいずれか１項に記載の画像形成装置において、
前記クリアホルダーは、前記重ね合わされたシート間に前記きり欠きが形成された領域を覆う合紙が挿入されている、
ことを特徴とする。
【００１３】
請求項７記載の発明は、請求項１ないし６のいずれか１項に記載の画像形成装置において、
前記画像形成手段は、前記クリアホルダーの端部に対して余白なしで画像を形成することができる、
ことを特徴とする。
【発明の効果】
【００１４】
請求項１に記載の発明によれば、切り欠き部を有するクリアホルダーに画像を形成することができる。
【００１５】
請求項２に記載の発明によれば、切り欠き部を有するクリアホルダーに切り欠きを除いて画像を形成することができる。
【００１６】
請求項３に記載の発明によれば、クリアホルダーの情報が予め分かっていなくても切り欠き部を有するクリアホルダーに画像を形成することができる。
【００１７】
請求項４に記載の発明によれば、切り欠き部の周辺における画像を縮小させる調整手段を有しない構成に比べて、切り欠き部周辺のクリアホルダーへの印刷画像の影響を抑制することができる。
【００１８】
請求項５に記載の発明によれば、切り欠き部周辺のクリアホルダーへの印刷画像のはみ出しを防止することができる。
【００２０】
請求項６に記載の発明によれば切り欠き部周辺への印刷画像の影響を低減することができる。
【００２１】
請求項７に記載の発明によれば、切り欠き部を有するクリアホルダーに切り欠きを除いて余白なし画像を形成することができる。
【図面の簡単な説明】
【００２２】
【図１】画像形成装置の内部構成を示す断面模式図である。
【図２】画像形成装置の機能構成の一例を示すブロック図である。
【図３】（ａ）は余白あり印刷、（ｂ）は全面余白なし印刷、（ｃ）は一部余白なし印刷時のトナー像形成を説明する図である。
【図４】余白なし印刷時のトナー像形成を説明する図である。
【図５】クリアホルダーの構成を示す図である。
【図６】クリアホルダーへの画像印刷の動作の流れを示すフローチャートである。
【図７】クリアホルダーに切り欠き部周辺における画像を縮小して画像形成を行う場合を示す図である。
【図８】クリアホルダーへの変形例１に係る画像印刷の動作の流れを示すフローチャートである。
【図９】クリアホルダーに切り欠き部周辺に余白を形成して画像形成を行う場合を示す図である。
【図１０】合紙が挿入されたクリアホルダーに余白なし印刷を行う場合を示す図である。
【図１１】クリアホルダーに切り欠き部を避けて画像形成を行う場合を示す図である。
【図１２】クリアホルダーに余白なし印刷をする場合を示す図である。
【図１３】切り欠き部を有する記録媒体としてのＴシャツを示す図である。
【図１４】Ｔシャツの襟口周辺に余白なし印刷を行う場合を示す図である。
【発明を実施するための形態】
【００２３】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００２４】
（１）印刷画像形成装置の全体構成及び動作
図１は本実施形態に係る画像形成装置１の内部構成を示す断面模式図、図２は画像形成装置１の機能構成の一例を示すブロック図、図３（ａ）は余白あり印刷、（ｂ）は全面余白なし印刷、（ｃ）は一部余白なし印刷時のトナー像形成を説明する図、図４は余白なし印刷時のトナー像形成を説明する図である。
以下、図面を参照しながら、画像形成装置１の全体構成、機能構成及び動作を説明する。
【００２５】
（１．１）画像形成装置の全体構成
画像形成装置１は、読取部１０と、画像形成部２０と、画像形成部２０の底部に装着された給紙装置３０と、操作表示部４０と、画像処理部５０と、を備えて構成され、用紙Ｐの端部に余白部を設けず用紙Ｐの端部に至るまで画像を印刷する余白なし印刷機能を有している。
【００２６】
読取部１０は、原稿積載部１１と、自動原稿送り部１２と、画像読取部１３とを備えて構成されている。自動原稿送り部１２は、原稿積載部１１に置かれた原稿Ｇを画像読取部１３の読取位置に搬送し、画像読取部１３でＣＣＤ（Charge Coupled Device）ラインセンサ等のイメージセンサ（不図示）で読み取られた画像は電気信号である画像データに変換される。
【００２７】
画像形成部２０は、システム制御装置２１、露光装置２２、感光体ユニット２３、現像装置２４、転写装置２５、定着装置２６、を備えて構成され、画像処理部５０から受け取った画像情報を給紙装置３０から送り込まれた用紙Ｐ上にトナー像として形成する。
【００２８】
画像形成部２０の底部には、用紙トレイ３１、３２を有する給紙装置３０が設けられ、更に給紙装置３０の下方には、上下方向に多段（本実施形態においては２段）に配置され、用紙Ｐを収容する用紙トレイＴ１、Ｔ２からなるトレイモジュールＴＭが接続されて画像形成部２０に対する用紙供給を行う。
【００２９】
画像形成部２０の左側には、手差し給紙装置３５が設けられ、不定サイズの用紙、長尺用紙、厚紙等の用紙供給を行う。また、本実施形態において用いられる、クリアホルダーＳは手差し給紙装置３５から給送される。
【００３０】
操作表示部４０は、いわゆるユーザーインターフェースに相当するもので、液晶表示パネル、各種操作ボタン、タッチパネル等を組み合わせて構成され各種の設定や指示の入力及び情報表示に用いられる。
【００３１】
画像処理部５０は、外部機器８２（図２に図示：例えばパーソナルコンピュータ等）から送信された印刷情報から画像データを生成する。
【００３２】
（１．２）画像形成部２０の構成及び動作
このような構成の画像形成装置１では、画像形成のタイミングに合わせて給紙装置３０又は手差し給紙装置３５から、印刷ジョブで指定された用紙Ｐが画像形成部２０へ送り込まれる。
【００３３】
感光体ユニット２３は、給紙装置３０の上方に、それぞれが並列して設けられ、回転駆動する感光体ドラム２３１を備えている。露光装置２２により静電潜像が形成されたそれぞれの感光体ドラム２３１上には、それぞれの現像装置２４によってイエロー（Ｙ）、マゼンタ（Ｍ）、シアン（Ｃ）、黒（Ｋ）のトナー像が形成される。
【００３４】
各感光体ユニット２３の感光体ドラム２３１に形成された各色トナー像は、転写装置２５の中間転写ベルト２５１上に順次静電転写（一次転写）され、各色トナーが重畳された重畳トナー像が形成される。中間転写ベルト２５１上の重畳トナー像は、レジストローラ対３４から送り出され、搬送ガイドにより案内された用紙Ｐに二次転写ローラ２５２によって一括転写される。  
【００３５】
定着装置２６は一対の加熱モジュール２６１と加圧モジュール２６２の圧接領域によって定着ニップ部ＮＰ（定着領域）が形成される。
転写装置２５においてトナー像が一括転写された用紙Ｐは、トナー像が未定着の状態で搬送ガイド２５３を介して定着装置１６の定着ニップ部ＮＰに搬送され、一対の加熱モジュール２６１と加圧モジュール２６２により、圧着と加熱の作用でトナー像が定着される。
定着トナー像が形成された用紙Ｐは、搬送ガイドによってガイドされ、排出ローラ対２６３から画像形成装置１上面の排紙トレイ部ＴＲ１に排出・収容される。
【００３６】
（１．３）システム制御装置の機能構成と動作
画像形成装置１は、画像出力制御部２１１、余白判別部２１２、画像調整部２１３、読取制御部２１４、電源制御部２１６、露光制御部２１７、定着温度制御部２１８を含むシステム制御装置２１を備え、システム制御装置２１はメモリに記憶された制御プログラムを実行して、画像形成装置１全体の動作制御を行う。
【００３７】
画像出力制御部２１１は、給紙装置３０、手差し給紙装置３５との間の情報授受についての制御の他に、画像形成部２０が備える露光装置２２、感光体ユニット２３、現像装置２４、転写装置２５、定着装置２６等に対して、動作制御指示を与える。
又、画像出力制御部２１１は、システム制御装置２１が備える電源制御部２１６、露光制御部２１７、定着温度制御部２１８に対して、それぞれ動作制御指示を与える。すなわち、画像形成部２０を構成する露光装置２２、感光体ユニット２３、現像装置２４、転写装置２５、定着装置２６等への給電、駆動を行うか否かを決定し、その決定結果をそれぞれの制御部に対して指示する。
【００３８】
更に、画像出力制御部２１１は、読取制御部２１４との間の情報授受を行い、操作表示部４０を介して画像読取の指示を受け付けた場合に、予め定められた画像読取制御を行う。
【００３９】
読取制御部２１４は、読取部１０の動作を制御して原稿積載部１１に積載された原稿Ｇを自動原稿送り部１２を介して画像読取部１３へ搬送しながら走査によって原稿Ｇの画像を読み取り、読み取られた画像データを受け入れる。受け入れた画像データは記憶部（ＨＤＤ）に蓄積される。
【００４０】
更に、画像出力制御部２１１は、余白判別部２１２、画像調整部２１３との間の情報授受を行い、余白なし印刷が選択された場合に、予め定められた動作制御を行う。
【００４１】
余白判別部２１２は、受け入れた画像データの用紙Ｐに対する周辺余白の有無を検出して余白なし印刷か余白あり印刷かを判断する。
図３（ａ）に模式的に示すように、余白あり印刷時には、トナー像は用紙Ｐ内に全て収まり、用紙Ｐの周辺に上余白（ｍｈ）・下余白（ｍｂ）・左余白（ｍｌ）・右余白（ｍｒ）の周辺余白が存在する。
これに対し余白なし印刷は、図３（ｂ）に示すように、トナー像が用紙Ｐの端部にまで達しており、周辺余白がなくなる。図３（ｂ）においては、上余白・下余白・左余白・右余白のすべてがない状態を図示してあるものの、図３（ｃ）に一例として示すように一部の端部に余白がなければ余白なし印刷と判断する。
【００４２】
図４（ａ）は中間転写ベルト１５１上に形成されるトナー像サイズを表しており、縦はＩｖ、横はＩｈである。また、図４（ｂ）は用紙Ｐのサイズを表しており、縦はＰｖ、横はＰｈである。
余白なし印刷においては、トナー像と用紙Ｐのサイズ関係は図４（ｃ）に模式的に示すように、Ｐｖ＜Ｉｖ、Ｐｈ＜Ｉｈとなるように設定される。つまり、用紙Ｐが前後左右に少々ずれて給紙されても、用紙Ｐに余白が生じることがないように、トナー像のサイズは選択されている用紙サイズより若干大きくなるように一定の拡大率で拡大して形成される。
【００４３】
（２）切り欠き部を有する記録媒体への印刷
図５はクリアホルダーＳの構成を示す図、図６はクリアホルダーＳへの画像印刷の動作の流れを示すフローチャート、図７はクリアホルダーＳに切り欠き部周辺における画像を縮小して画像形成を行う場合を示す図、図１１はクリアホルダーＳに切り欠き部を避けて画像形成を行う場合を示す図、図１２はクリアホルダーＳに余白なし印刷をする場合を示す図である。以下、図面を参照しながら、画像形成装置１が行うクリアホルダー印刷について説明する。
【００４４】
クリアホルダーＳは、書類を挟んで整理・保管したり持ち運ぶのに適した事務用品であり、図５に示すように、ほぼ長方形形状の透明または半透明のプラスチックシートを折部ｃ１で２つ折りし、折り曲げられた辺以外の少なくとも一辺、例えば２つ折り部に隣接する一辺を溶着して（図５（ｂ）中  破線領域参照）他の二方が開いた形状となっている。
そして、開放された一方の辺には、切り欠き部Ｓ１、Ｓ２が設けられている。切り欠き部Ｓ１は収容された書類を取り出すための切り欠きであり、切り欠き部Ｓ２は開放された一辺を開く際に、溶着された一辺の剥がれを抑制するものである。
【００４５】
このように構成されたクリアホルダーＳは、ポリプロピレン、ポリエチレンテレフタレート、植物系生分解性フィルム等のプラスチックシートを用いることにより、透明性及び良好な印刷適性が得られるようになっている。
そして、クリアホルダーＳに画像を印刷する場合には、図１１に示すように、切り欠き部Ｓ１、Ｓ２を除いた余白あり印刷が行われる。一方、図１２に示すように、余白なし印刷を行うと、切り欠き部Ｓ１、Ｓ２において、画像がはみ出して折り曲げた他方のシートにも画像が印刷されてしまうという問題があった。また、予め画像が印刷されたプラスチックシートを打ち抜いて二つ折りして一辺を溶着するという加工方法で余白なし印刷されたクリアホルダーを作成する場合は、手間とコストがかかるという問題があった。
【００４６】
本実施形態に係る画像形成装置１においては、クリアホルダーＳを読取部１０で読み取り走査することで、クリアホルダーＳの切り欠き部Ｓ１，Ｓ２のサイズと位置を検知して、切り欠き部Ｓ１、Ｓ２周辺における画像を縮小して余白なし印刷を行う。
【００４７】
画像形成装置１は、クリアホルダーＳに画像印刷を行う印刷元データとしての画像データを取得する（Ｓ１０１）。
次に、画像印刷を行う記録媒体としてのクリアホルダーＳを読取部１０でスキャンして記録媒体の画像を取得する（Ｓ１０２）。具体的には、クリアホルダーＳのスキャンデータから、クリアホルダーＳの切り欠き部Ｓ１、Ｓ２のサイズと位置データを取得する。
【００４８】
記録媒体を読取部１０でスキャンして得られた画像情報から、画像印刷を行う記録媒体に切り欠き部があるか否かの判断を行う（Ｓ１０３）。切り欠き部がない場合（Ｓ１０３：Ｎｏ）、更に余白なし印刷か否かが判断され（Ｓ１０８）、余白なし印刷の場合（Ｓ１０８：Ｙｅｓ）は、余白なし印刷され（Ｓ１０７）、余白あり印刷の場合（Ｓ１０８：Ｎｏ）は通常印刷される（Ｓ１０９）。
【００４９】
画像印刷を行う記録媒体に切り欠き部がある場合（Ｓ１０３：Ｙｅｓ）、画像調整部２１３は、切り欠き部Ｓ１、Ｓ２の領域の画像を削除する（Ｓ１０４）。画像の削除は、ステップ１０１で取得した印刷元データとしての画像データから切り欠き部Ｓ１、Ｓ２に対応する領域の画像データを削除する（図７におけるハッチングＲ１、Ｒ２参照）。これにより、  余白なし印刷をおこなった場合に、切り欠き部Ｓ１、Ｓ２において画像がはみ出して折り曲げた他方のシートに画像が印刷されてしまうことを防止することができる。
【００５０】
次に、画像調整部２１３は、切り欠き部Ｓ１、Ｓ２周辺に対して画像を縮小する（図７における矢印Ｒ参照）ことで（Ｓ１０５）クリアホルダーＳの用紙搬送において用紙ずれが発生した場合にも、切り欠き部Ｓ１、Ｓ２における、画像がはみ出して折り曲げた他方のシートに画像が印刷されてしまうことを防止する。
【００５１】
そして、クリアホルダーＳが手差し給紙装置３５にセットされているか判断する（Ｓ１０６）。具体的には、操作者がクリアホルダーＳを手差し給紙装置３５にセットして、操作表示部４０を介して指示入力した場合、その入力を受け付けることでクリアホルダーＳがセットされたと判断する（Ｓ１０６：Ｙｅｓ）。
【００５２】
クリアホルダーＳの手差し給紙装置３５へのセットが確認されれば（Ｓ１０６：Ｙｅｓ）、クリアホルダーＳの切り欠き部Ｓ１、Ｓ２が設けられた面に画像が余白なし印刷される（Ｓ１０７）。
【００５３】
以上の動作の流れによって、図７に示すように、切り欠き部を有する記録媒体としてのクリアホルダーＳに画像がはみ出して折り曲げた他方のシートに画像が印刷されてしまうことを防止しながら余白なし画像を形成することができる。
【００５４】
「変形例１」
図８はクリアホルダーＳへの変形例１に係る画像印刷の動作の流れを示すフローチャート、図９はクリアホルダーＳに切り欠き部周辺に余白を形成して画像形成を行う場合を示す図である。
変形例に係る画像形成装置１は、クリアホルダーＳを読取部１０で読み取り走査することで、クリアホルダーＳの切り欠き部Ｓ１，Ｓ２のサイズと位置を検知して、切り欠き部Ｓ１、Ｓ２周辺に余白を形成するように画像を縮小して余白なし印刷を行うことで、切り欠き部Ｓ１、Ｓ２において画像がはみ出して折り曲げた他方のシートに画像が印刷されてしまうことを防止する。
【００５５】
画像形成装置１は、クリアホルダーＳに画像印刷を行う印刷元データとしての画像データを取得（Ｓ２０１）した後、画像印刷を行う記録媒体としてのクリアホルダーＳを読取部１０でスキャンしてクリアホルダーＳのスキャンデータから、クリアホルダーＳの切り欠き部Ｓ１、Ｓ２のサイズと位置データを取得する（Ｓ２０２）。
【００５６】
記録媒体を読取部１０でスキャンして得られた画像情報から、画像印刷を行う記録媒体に切り欠き部があるか否かの判断を行い（Ｓ２０３）、切り欠き部がある場合（Ｓ２０３：Ｙｅｓ）、画像調整部２１３は、ステップ２０１で取得した印刷元データとしての画像データから切り欠き部Ｓ１、Ｓ２に対応する領域の画像データを削除する（Ｓ２０４）。
【００５７】
次に、画像調整部２１３は、切り欠き部Ｓ１、Ｓ２周辺に余白ｍを形成して画像を縮小する（図９  参照）ことで（Ｓ２０５）クリアホルダーＳの用紙搬送において用紙ずれが発生した場合にも、切り欠き部Ｓ１、Ｓ２において、はみ出した画像が折り曲げた他方のシートに画像が印刷されてしまうことを防止する。
【００５８】
そして、クリアホルダーＳが手差し給紙装置３５にセットされているか判断して（Ｓ２０６）、クリアホルダーＳの手差し給紙装置３５へのセットが確認されれば（Ｓ２０６：Ｙｅｓ）、クリアホルダーＳの切り欠き部Ｓ１、Ｓ２が設けられた面に画像が余白なし印刷される（Ｓ２０７）。
【００５９】
以上の動作の流れによって、図９に示すように、切り欠き部を有する記録媒体としてのクリアホルダーＳに画像がはみ出して折り曲げた他方のシートに画像が印刷されてしまうことを防止しながら余白なし画像を形成することができる。
【００６０】
「変形例２」
図１０は合紙ＰＡが挿入されたクリアホルダーＳに余白なし印刷を行う場合を示す図である。
クリアホルダーＳは、図１０に示すように、合紙ＰＡがクリアホルダーＳの開放辺から重ね合わされたシート間に挿入され、切り欠き部Ｓ１、Ｓ２を覆っている。変形例２に係る画像形成装置１は、重ね合わされたシート間に合紙ＰＡが挿入されたクリアホルダーＳに切り欠き部Ｓ１、Ｓ２の領域の画像を削除して画像を余白なしで印刷する。
【００６１】
図１０に示すように、画像調整部２１３は、切り欠き部Ｓ１、Ｓ２に対応する領域の画像データを削除して、切り欠き部Ｓ１、Ｓ２周辺に対して画像を拡大する（図１０における矢印Ｒ参照）ことでクリアホルダーＳの用紙搬送において用紙ずれが発生した場合にも、はみ出した画像は合紙ＰＡに印刷され、折り曲げた他方のシートに画像が印刷されてしまうことを防止することができる。
【００６２】
本実施形態においては、切り欠き部を有する記録媒体として、クリアホルダーＳに余白なし印刷する場合について説明したが、切り欠き部を有する記録媒体としては、クリアホルダーＳに限られない。
３リングバインダーに用紙を綴じるための３孔パンチ形式に配置された左余白に沿って等間隔の３つの孔を有する事前穿孔用紙や、用紙が切り込みの窓を有し、切り取られた部分を通じて、住所、肩書、他の情報が見られるようにした切り込み用紙であっても、切り欠き部に係る領域の画像データを削除して所定の画像を余白なしで印刷することができる。
【００６３】
切り欠き部を有する記録媒体の他の例としては、図１３に示すような、Ｔシャツ等の布帛製品が挙げられる。ＴシャツＴは切り欠き部の一例としての襟口Ｔ１を有し、襟口Ｔ１に係る領域の画像データを削除して所定の画像を印刷することができる。
【００６４】
ＴシャツＴの襟口Ｔ１に対しては、画像調整部２１３は、襟口Ｔ１周辺に余白ｍを形成して画像を縮小する（図１３  参照）ことでＴシャツＴの襟口Ｔ１において、はみ出した画像が襟口Ｔ１の裏側の布帛に画像が印刷されてしまうことを防止することができる。
【００６５】
布帛製品としてのＴシャツＴの身頃部分に画像を印刷する場合には、図１４に示すように、略長方形の板状で、襟口Ｔ１に合わせてＶ字型にカットされたプラテン板ＰＴを用いてＴシャツＴを平面状に保持して画像印刷を行うこともできる。尚、プラテン板ＰＴは、布帛製品の印刷部分の形状に合わせて、形状やサイズの異なる形状であってもよい。
このようにプラテン板ＰＴにセットされたＴシャツＴの襟口Ｔ１に対しては、画像調整部２１３は、襟口Ｔ１の領域の画像を削除して画像を余白なしで印刷することで、はみ出した画像が襟口Ｔ１の裏側の布帛に画像が印刷されてしまうことを防止することができる。
【符号の説明】
【００６６】
１・・・画像形成装置
１０・・・読取部
２０・・・画像形成部
２１・・・システム制御装置
２１１・・・画像出力制御部
２１２・・・余白判別部
２１３・・・画像調整部
２１４・・・読取制御部
３０・・・給紙装置
３５・・・手差し給紙部
４０・・・操作表示部
５０・・・画像処理部
Ｓ・・・クリアホルダー
ＰＡ・・・合紙
Ｔ・・・Ｔシャツ
ＰＴ・・・プラテン板
【図１】
0006988184.tif 000002
【図２】
0006988184.tif 000003
【図３】
0006988184.tif 000004
【図４】
0006988184.tif 000005
【図５】
0006988184.tif 000006
【図６】
0006988184.tif 000007
【図７】
0006988184.tif 000008
【図８】
0006988184.tif 000009
【図９】
0006988184.tif 000010
【図１０】
0006988184.tif 000011
【図１１】
0006988184.tif 000012
【図１２】
0006988184.tif 000013
【図１３】
0006988184.tif 000014
【図１４】
0006988184.tif 000015